(57)【要約】  ロック具ハウジング（１−１）と、バネ板（１−２）と、偏心輪（１−３）とを含む接続用ロック具（１）において、前記ロック具ハウジング（１−１）内には、アセンブリーシステム中の他の支持用形材または組立て部品を接続するためのバネ板（１−２）を直接取り付ける少なくとも１つ以上の収容空間が設けられる。前記ロック具ハウジング（１−１）の両側には、それぞれ、前記ロック具ハウジング（１−１）と一体構造に形成された側翼（１−４）が設けられ、前記ロック具（１）は、側翼（１−４）を介して、支持用形材（２）の内部に向けられたガイドレール（２−１）上に挿入・放置されるようになる。ガイドレール（２−１）は、固定用部品を挿し込むためのスルーホール（２−２）を有し、これらの固定用部品は、ロック具（１）を軸方向に沿ってガイドレール（２−１）上に固定する。前記バネ板（１−２）には、偏心輪が組み込まれる組込孔が設けられ、バネ板（１−２）は、組込孔内に設けられた偏心輪（１−３）の回転により往復運動を行う。ロック具ハウジング（１−１）には、さらに、バネ板（１−２）を支持するための突起部（１−９）が設けられ、前記偏心輪（１−３）は、組込孔により、ロック具ハウジング（１−１）の後側の開口（１−１０）の位置に位置決め及び取り付けられる。該ロック具は、製造が便利で、組立て構造物中の支持用形材または組立て部品との直接の接続が実現できる。
2012526210.tif 000002
【特許請求の範囲】
【請求項１】
ロック具ハウジング（１−１）と、バネ板（１−２）と、偏心輪（１−３）とを含み、商品展示会または商店構造アセンブリーシステム中に支持及び接続のために用いられる接続用ロック具において、
前記ロック具ハウジング（１−１）内には、アセンブリーシステム中の他の支持用形材または組立て部品を接続するためのバネ板（１−２）を直接取り付ける少なくとも１つ以上の収容空間が設けられ、
前記ロック具ハウジング（１−１）の両側には、それぞれ、前記ロック具ハウジング（１−１）と一体構造に形成された側翼（１−４）が設けられ、前記ロック具（１）は、側翼（１−４）を介して、支持用形材（２）の内部に向けられたガイドレール（２−１）上に挿入・配置されるようになり、
ガイドレール（２−１）は、固定用部品を挿し込むためのスルーホール（２−２）を有し、固定用部品を用いて、ロック具（１）を軸方向に沿ってガイドレール（２−１）上に固定可能であり、
前記バネ板（１−２）には、偏心輪が組み込まれる組込孔が設けられ、バネ板（１−２）は、組込孔内に設けられた偏心輪（１−３）の回転により前後運動を行い、
ロック具ハウジング（１−１）には、さらに、バネ板（１−２）を支持するための突起部（１−９）が設けられ、
前記偏心輪（１−３）は、組込孔により、ロック具ハウジング（１−１）の後側の開口（１−１０）の位置に位置決め及び取り付けられている
ことを特徴とする接続用ロック具。
【請求項２】
前記側翼（１−４）には、少なくとも２つの補強リブ（１−５）が設けられている
ことを特徴とする請求項１に記載の接続用ロック具。
【請求項３】
前記ロック具の側翼（１−４）には、固定用部品であるネジ（３）の接続に用いられるネジ孔（１−７）が配置され、
前記ネジ孔（１−７）は、その位置が補強リブ（１−５）と対応して設けられている
ことを特徴とする請求項２に記載の接続用ロック具。
【請求項４】
前記ロック具（１）は板状構造になっており、
前記ロック具の２つの側翼（１−４）には、ガイドレール（２−１）と対応するレール（１−８）が形成されている
ことを特徴とする請求項１に記載の接続用ロック具。
【請求項５】
前記ロック具（１）の前端には、他の支持用形材の溝開口（２−３）との突合せ接続のための位置決め用突起（１−６）が設けられている
ことを特徴とする請求項１に記載の接続用ロック具。
【請求項６】
前記偏心輪（１−３）には、操縦工具の導入をガイドするための円錐形状のガイド弧面（１−３１）が設けられている
ことを特徴とする請求項１に記載の接続用ロック具。
【発明の詳細な説明】
【技術分野】
【０００１】
本発明は、組立て構造物中に、特に、商品展示会または商店における構造アセンブリーシステム中に用いられる接続具に関し、特には、アセンブリーシステム中の他の支持用形材または組立て部品を接続して支持するロック具に関する。
【背景技術】
【０００２】
従来のスリー・クリップ式ロック具は、ロック具ハウジングと、バネ板と、偏心輪とを含んでなる。ロック具ハウジングは、全体的に中空構造であり、その前側にバネ板ガイド突起部が、その後側に偏心輪及びバネ板突起部が設けられているとともに、バネ板には偏心輪が組み込まれる組込孔が設けられ、バネ板は、組込孔内に組み込まれた偏心輪の回転により前後運動を行うようになっている。従来のスリー・クリップ式ロック具は、組立て構造物に適用される場合、特に、商品展示会または商店構造アセンブリーシステム中に用いられる場合は、他の支持用形材と接続するとき、必ず１つのアダプターを経由しなければならない。中国特許ＺＬ９９１１１８４５．６には上記のような接続方法が開示されているが、そのロック具とアダプターとのいずれもが高精度に整合できるような製造精度が要求され、その製造が複雑で、その組立もややこしくなっている。また、ロック具とアダプターとの接続は偏心輪経由で実現されるため、整合するアダプターの製造が必要であるとともに、偏心輪を、組込作業の際に押圧されてロック具ハウジング内に収容されその後跳ね出すような圧入式構造に形成しなければならないなど、ロック具の設計及び製造上より高い要求がなされている。同時に、バネ板、偏心輪及びロック具ハウジングの製造が複雑になり、また、ロック具ハウジングに開孔することにより、ロック具ハウジングの強度が弱まってしまう場合が生ずる。また、サイズ及びセルフロック角度が制限され、セルフロック現象が発生しやすくなるため、偏心輪が押圧不能になり、ロック具の迅速の着脱が影響されるなど、問題が多い。
【発明の概要】
【発明が解決しようとする課題】
【０００３】
本発明は、上記の従来技術の問題点に鑑みてなされたものであり、その解決しようとする課題は、製造が便利で、組立て構造物中の支持用形材または組立て部品と直接接続可能な接続用ロック具を提供することである。
【０００４】
上記の課題を解決するため、本発明に係る接続用ロック具は、ロック具ハウジングと、バネ板と、偏心輪とを含み、商品展示会または商店構造アセンブリーシステム中に支持及び接続のために用いられる接続用ロック具であって、前記ロック具ハウジング内には、アセンブリーシステム中の他の支持用形材または組立て部品を接続するためのバネ板を直接取り付ける少なくとも１つ以上の収容空間が設けられ、前記ロック具ハウジングの両側には、それぞれ、前記ロック具ハウジングと一体構造に形成された側翼が設けられ、前記ロック具は、側翼を介して、支持用形材の内部に向けられたガイドレール上に挿入・配置されるようになり、ガイドレールは、固定用部品を挿し込むためのスルーホールを有し、これらの固定用部品は、ロック具を軸方向に沿ってガイドレール上に固定し、前記バネ板には、偏心輪が組み込まれる組込孔が設けられ、バネ板は、組込孔内に設けられた偏心輪の回転により前後運動を行い、ロック具ハウジングには、さらに、バネ板を支持するための突起部が設けられ、前記偏心輪は、組込孔により、ロック具ハウジングの後側の開口の位置に位置決め及び取り付けられている。
【０００５】
本発明は、アダプターとロック具の組合せに基づく従来の組立て、設計の構想から離れて、両者の機能を一体化することにより、ロック具を支持用形材内部に向けられたガイドレール上に直接挿入・配置し、その後固定用部品を用いて、該ロック具を該支持用形材の内端に固定することができるとともに、バネ板を用いて他の支持用形材との接続を実現することができる。そして、ロック具自体がアダプターとして機能するため、偏心輪を圧入式構造に設計する必要がなく、バネ板と突起部の構造形式に対しても考慮せずに済むので、上記のような部分に対する設計が簡単になっている。同時に、ロック具ハウジング上に開孔することも回避することができ、ロック具の強度を向上させることができる。このように、ロック具とアダプターとの高精度の整合関係を考慮する必要がなくなり、その製造が簡単で、コストが低減されるようになるとともに、組立てがさらに便利でかつ迅速になる。
【０００６】
本発明の更なる特徴として、前記側翼に少なくとも２つの補強リブを設けることにより、ロック具の支持強度を確保することができる。
【０００７】
本発明の好ましい実施例として、前記ロック具の側翼には、固定用部品であるネジの接続に用いられるネジ孔が配置され、前記ネジ孔は、その位置が補強リブと対応するように設計されている。そのため、ネジを用いて、ロック具を支持用形材のガイドレール上にしっかり固定することができる。
【０００８】
本発明に係る前記ロック具は板状構造になっており、前記ロック具の２つの側翼には、ガイドレールと対応するレールが形成されている。この両者の結合関係により、両者の間の正確な位置決めが実現でき、組立ての迅速化を図ることができる。
【０００９】
本発明の更なる特徴として、前記ロック具のロック具ハウジングの前端には位置決め用突起が形成されている。他の形材との突合せ接続を行う際に、まず、位置決め用突起を用いて該形材の溝開口内に挿入して位置決めしてから、ロック接続を行うことにより、突合せ接続の便利化及び迅速化を図ることができる。
【００１０】
本発明の更なる特徴として、前記偏心輪には、操縦工具の導入をガイドする円錐形状の弧面が設けられ、操縦工具が、偏心輪上の溝開口への迅速な位置合わせを実現できるようにガイドする。
【図面の簡単な説明】
【００１１】
【図１】本発明の組立分解図である。
【図２】本発明の組立図である。
【図３】本発明の突合せ接続構造の透視図である。
【図４】図３のＡ−Ａ断面図である。
【図５】本発明に係るロック具の正面図である。
【図６】図５の側面図である。
【図７】図５の平面図である。
【図８】本発明に係る偏心輪の構造の模式図である。
【図９】本発明の他の構造の組立分解図である。
【発明を実施するための形態】
【００１２】
以下、本発明の実施例について、図面を参照しながら詳述する。
＜実施例１＞
図５乃至図７に示すように、本発明は、ロック具ハウジング１−１と、スリー・クリップ式バネ板１−２と、偏心輪１−３とを含むロック具に係るものである。ロック具ハウジングには、直接スリー・クリップ式バネ板１−２を取り付けるための１つの収容空間が設けられている。ロック具ハウジングの後端には、開口１−１０とバネ板１−２を支持するための突起部１−９（図４）が設けられている。スリー・クリップ式バネ板１−２上には、偏心輪１−３が組み込まれる組込孔が設けれ、該偏心輪１−３は、組込孔により、ロック具ハウジング１−１の後側の開口１−１０の位置に位置決め及び取り付けられている。スリー・クリップ式バネ板１−２は、組込孔内に組み込まれた偏心輪１−３の回転により前後運動を行うようになっている。該ロック具ハウジング１−１の両側は、それぞれ側方向に延在されて側翼１−４を形成し、側翼の横面上には、それぞれ２つの支持用柱が補強リブとして設けられ、側翼の側端には、支持用形材の内側のガイドレール２−１と対応するレール１−８が設けられ、また、レール１−８上から補強リブに対してネジ孔１−７が開孔されている。そして、側翼１−４の前端には、２つの位置決め用突起（１−６）が設けられている。
【００１３】
図１乃至図３に示すように、支持用形材はアルミ製異形管であり、矩形の横断面を有し、該形材の各面それぞれの上には、後ろを向けて切出された１つの縦方向の溝開口２−３が形成され、その反対側である形材の内側には、突出したガイドレール２−１が形成されているともに、ガイドレール２−１上には、２つのスルーホール２−２が開孔され、また、形材の面上には、さらに、操縦工具を導入させて偏心輪を操作するための操作孔２−４が設けられている。ロック具１は、側翼１−４を介して、支持用形材２の内部に向けられたガイドレール２−１上に挿入・配置され、２つのネジを用いてスルーホール２−２を介してロック具のネジ孔と接続することにより、軸方向に沿ってガイドレール２−１上に固定される。
【００１４】
本発明において、ロック具１を使用する際に、まず、ロック具１を支持用形材内に固定してから、ロック具の位置決め用突起１−６を用いて接続しようとする他の支持用形材中に挿入し、その後、操縦工具を用いて、操作孔２−４を介してロック具の偏心輪１−３を回転させることにより、スリー・クリップ式バネ板１−２のクリッパーがずらされて、他の支持用形材の溝開口の内側面にロックされ、これにより２つの形材が強く固定されるようになる。
【００１５】
図８に示すように、偏心輪１−３上の十字形状の溝開口の外端に、円錐形状のガイド弧面１−３１が設けられ、操縦工具の、偏心輪上の十字形状の溝開口への位置合わせをガイドする。
【００１６】
＜実施例２＞
本実施例では、図９に示すように、実施例１の構造を基に、ロック具ハウジングに２つの収容空間を設けることにより、ダブルロック構造を実現している。そして、本実施例中の支持用形材は円形の横断面を有する異形管である。
【符号の説明】
【００１７】
１      ロック具
１−１  ロック具ハウジング
１−２  バネ板
１−３  偏心輪
１−３１ガイド弧面
１−４  側翼
１−５  補強リブ
１−６  位置決め用突起
１−７  ネジ孔
１−８  レール
１−９  突起部
１−１０開口
２      支持用形材
２−１  ガイドレール
２−２  スルーホール
２−３  溝開口
２−４  操作孔
３      ネジ
【図１】
2012526210.tif 000003
【図２】
2012526210.tif 000004
【図３】
2012526210.tif 000005
【図４】
2012526210.tif 000006
【図５】
2012526210.tif 000007
【図６】
2012526210.tif 000008
【図７】
2012526210.tif 000009
【図８】
2012526210.tif 000010
【図９】
2012526210.tif 000011
【国際調査報告】
2012526210.tif 000012
2012526210.tif 000013
2012526210.tif 000014
2012526210.tif 000015